(57)【特許請求の範囲】
【請求項１】
トランスポンダ読み取り部（１１）により始動される制御部により作動可能であって、
磁気カード挿入用のスロット（７）を備えた箱体（６）を有し、
アンテナ（１２）がトランスポンダ読み取り部（１１）に接続される作動装置において、
磁気信号評価部（１６）が制御部（１８）に接続されており、
前記トランスポンダ読み取り部（１１）は磁気カード読み取りヘッドの信号に相当する信号を発生して、磁気信号評価部（１６）を作動させるものであり、
前記スロット（７）は磁気カード挿入用であって、カバー（９）で覆われており、
前記カバー（９）はトランスポンダ読み取り部（１１）用のアンテナ（１２）と、前記アンテナ（１２）とトランスポンダ読み取り部（１１）を接続する電気接続部（２０）を有する
ことを特徴とする作動装置。
【請求項２】
トランスポンダ読み取り部（１１）は、アンテナ（１２）と、アナログ部（１３）と、ＲＦ制御部（１４）と、駆動部（１５）とからなり、前記駆動部（１５）は前記トランスポンダ読み取り部（１６）と接続されていることを特徴とする請求項１記載の作動装置。
【請求項３】
ドアロック（２）の作動用のものであることを特徴とする請求項１又は２記載の作動装置。
【請求項４】
カバー（９）は、待機電子部品（２２）の作動用の近接センサ（１０）を有することを特徴とする請求項１記載の作動装置。
【発明の詳細な説明】
【０００１】
【発明の属する技術分野】
本発明は、請求項１の前提部分記載の作動装置に関する。
【０００２】
【従来の技術】
非接触型の作動装置として、例えば、ロック機構作動のために、トランスポンダとトランスポンダ読み取り部とを組み合わせて使用する原理が知られている（ＤＥ１９６１５６．６及び１９６１２１５７．４）。
【０００３】
最近のホテルその他類似の施設では、磁気カードドアロックを設けることがよく行われている。このロックは、ロック用電子部品を収容した箱体を特徴としている。この箱体は、ロックの機械部品を作動させる制御部と、この制御部を作動させる磁気信号評価部からなる。さらにこの箱体の中には、ロックの電子部品を作動させるスイッチ（このスイッチは磁気カードにより作動される）と、この磁気カードの読み取りヘッドが設けられている。この箱体は磁気カード挿入用のスロットを特徴としている（ＥＰ０５０１７１５Ａ１）。
【０００４】
【発明が解決しようとする課題】
上記の公知磁気カードロックの作動はやや複雑である。例えば、カードは磁気ヘッドの読み取り速度に従って挿入されなければならない。挿入速度が速すぎたり遅すぎたりすると、開錠しない。また、開錠するためにはカードは正しい方向に正しい側を向けて読み取りヘッドに挿入されなければならない。
【０００５】
公知の磁気カードは箱体のスロットにより容易に、特に意図的に、破壊されてしまう。さらに、箱体内の読み取りヘッドモジュールは磁気カードに相当するものでなければならず、従って、かなり分厚くなる。少なくとも扉の片面はそうである。
【０００６】
磁気カードの他に、別のタイプ、即ち、非接触型の電子錠がＤＥ１９５２７８０１Ａ１により公知である。
【０００７】
本発明の目的は、磁気カードにより作動する作動装置を、簡単且つ意匠的に魅力あるやり方で、請求項１の前提部分に記載するような、トランスポンダ読み取り部を有する作動装置に変更することである。
【０００８】
【課題を解決するための手段】
本発明の目的は、請求項１記載の作動装置により達成される。本発明による好ましい実施態様は従属項に記載されている。
【０００９】
【発明の実施の態様】
トランスポンダ読み取り部により、本発明の作動装置は非接触作動が可能である。トランスポンダは、例えばカードにあってもよいし、キーホルダにあってもよいし、腕時計に付けてもよい。
【００１０】
本発明の装置は、好ましくは、トランスポンダの接近を探知する近接センサを備えた作動回路（待機回路）を有する。近接センサは、例えばＬＥＤセンサ（即ち反射光バリヤ）、容量センサ、誘導センサ、熱センサである。
【００１１】
センサは作動装置用の制御部を始動し、制御部はトランスポンダ読み取り部を始動する。トランスポンダ読み取り部は、有効な磁気カードが読みとられるとき磁気カード読み取りヘッドが発する信号に相当する信号を発する。トランスポンダ読み取り部により送られる信号は磁気信号評価部により評価される。磁気信号評価部は制御部に接続され、制御部が作動装置を作動させる。
【００１２】
さらに、ＬＥＤのような表示部を設けることもできる。これは制御部により作動され、例えば、トランスポンダが問題のドアロック用にプログラムされているかどうかを表示する。
【００１３】
ホテル部屋のドアロックのような作動装置において、磁気カード作動方式から本発明のような非接触作動方式に変換するために必要なことは、作動スイッチと磁気読み取りヘッドを備えたモジュールからトランスポンダ読み取り部と作動回路又は待機回路を備えたモジュールへと変換することである。
【００１４】
トランスポンダ読み取り部は、概して、アンテナと、アナログ部と、ＲＦ制御部と、駆動部からなり、駆動部は磁気信号評価部と接続されている。
【００１５】
ホテルの部屋のドアロックを磁気カード作動方式から本発明のような非接触作動方式に変換するためには、ドアロック箱体のスロットを覆うカバーを取り付ける。このカバーはアンテナとトランスポンダ読み取り部を有する。もしドアロック箱体が別の開口を有しておれば、カバーはその開口に取り付けてもよい。
【００１６】
【実施例】
以下、添付図面に基づき、本発明を詳細に記述する。
【００１７】
図１によれば、扉の中に、取っ手３により作動可能なタンブラ４を備えたロック２とボルト５が埋設されている。ロック２は従来型磁気カードロックとして設計されており、そのため、箱体６には、磁気カード挿入用にスロット７が設けられている。その他、箱体６には、作動回路（待機回路）、磁気読取りヘッド、公知の磁気カードロック用の電子部品も収容されている。ＬＥＤ表示部８は、磁気カードにより開錠されたかどうかを表示する。
【００１８】
図２によれば、本発明により、図１における箱体６のスロット７の上にカバー９が設けられている。
【００１９】
図４によれば、本発明の装置は、トランスポンダ読み取り部１１に接続された近接センサ１０を特徴としている。トランスポンダ読み取り部１１はアンテナ１２と、アナログ部１３と、ＲＦ制御部１４と、駆動部１５からなる。トランスポンダ読み取り部１１は、従来型磁気カードロックの磁気ヘッドからの信号と均等な信号を発生させるように設計されている。
【００２０】
駆動部１５は磁気信号評価部１６と接続されているので、この評価部１６に信号が導入される。この信号は、有効な磁気カードが挿入されたとき、磁気読み取りヘッドが発生させる信号に相当する。
【００２１】
磁気信号評価部１６は制御部１８を始動して、ロックの機械部品１９を作動させる。磁気信号評価部１６及び制御部１８がロックの電子部品２３を構成する。
【００２２】
図３によれば、カバー９は、アンテナ１２と、近接センサ１０と、プラグ２０からなる。プラグ２０は、制御部１８又はトランスポンダ部１１に近接センサ１０を接続すると共に、アンテナ１２をトランスポンダ部１１に接続する。
【００２３】
さらに、カバー９は舌部２１を有しており、これは箱体６のスロットに挿入されて、カバー９と箱体６を固着させる。図４において、符号２２は作動回路又は待機回路であり、これはＬＥＤ表示部８のように、ロック電子部品２３に接続されている。
【００２４】
上記したように、本発明による作動装置は、例えばホテルの部屋にふさわしい。しかし、他の分野でも使用可能であり、例えば、金銭自動支払機などでも磁気カードを非接触型トランスポンダに置き換えることができる。
【図面の簡単な説明】
【図１】  本発明による、変換可能な磁気カードロックを備えたホテルの扉（一部）の斜視図である。
【図２】  本発明により、非接触ドアロック作動装置に変換した後の図１相当図である。
【図３】  図２のドアロックから取り出した箱体スロットのカバーの斜視図である。
【図４】  本発明による非接触ドアロック作動装置用の回路である。
【符号の説明】
６      箱体
７      磁気カード挿入用のスロット
９      カバー
１１    トランスポンダ読み取り部
１２    アンテナ
１３    アナログ部
１４    ＲＦ制御部
１５    駆動部
１６    磁気信号評価部
１８    制御部
２０    電気接続部
【図１】
0003974326.tif 000002
【図２】
0003974326.tif 000003
【図３】
0003974326.tif 000004
【図４】
0003974326.tif 000005